(57)【要約】【課題】持ち運びができ、かつ気楽に競馬や競輪、競艇、オートレース等の競争予想に利用できる着順決定装置および着順決定方法を提供すること。【解決手段】着順決定装置１０は、競馬や競輪、競艇、オートレース等の競争予想における競技参加数を指定する競技参加数指定部２２と、３連複または３連単の予想方式を選択する選択部２１と、指定された競技参加数および３連複または３連単の予想方式に応じて乱数処理で予想数字を発生する乱数発生部２３を備える。【選択図】        図１
2004147919.tif 000002
【特許請求の範囲】
【請求項１】
競技参加数を指定する競技参加数指定手段と、
３連複または３連単の予想方式を選択する選択手段と、
指定された前記競技参加数および選択された前記予想方式に応じて乱数発生処理で予想数字を発生する乱数発生手段と、
前記競技参加数および前記予想方式に応じて前記乱数発生処理で発生した着順予想数字を表示する表示手段とを備え、カード式携帯型装置であることを特徴とする着順決定装置。
【請求項２】
競技参加数を指定する競技参加数指定ステップと、
３連複または３連単の予想方式を選択する選択ステップと、
指定された前記競技参加数および選択された前記予想方式に応じて乱数発生処理で予想数字を発生する乱数発生ステップと、
前記競技参加数および前記予想方式に応じて前記乱数発生処理で発生した着順予想数字を表示するステップとから成ることを特徴とする着順決定方法。
【発明の詳細な説明】
【０００１】
【発明の属する技術分野】
本発明は、着順決定装置および着順決定方法に関し、特に、３連単、３連複の予想に好適な着順決定装置および着順決定方法に関する。
【０００２】
【従来の技術】
競馬や競輪、競艇、オートレース等の競争予想では、着順に応じた予想や、１着、２着の組み合わせや１着、２着、３着の組み合わせを当てる予想がある。組み合わせの場合は組み合せとして当たっていればよく、着順は関係ない。例えば、競馬の馬券の買い方として、馬単、３連複、３連単、単勝、複勝、枠連、馬連、ワイド等の買い方がある。
【０００３】
馬単とは、１着、２着の馬番号を着順どおりに当てる馬券であり、同着があった場合は、１着同着が複数いれば、それぞれの組み合せが的中となる。１着２頭同着の場合には、２着が同着で２頭以上となった場合の２着どうしの組み合せ１−２、２−１は不的中となる。
【０００４】
３連複とは、１着、２着、３着の組み合せを馬番号で当てる馬券であり、組み合せとして当たっていればよく、１着、２着、３着の着順は関係ない。もし、１着同着が複数いれば、そのうちどれかを２着、３着にみなす。
【０００５】
３連単とは、１着、２着、３着の馬番号を着順どおりに当てる馬券であり、同着があった場合は、１着同着が複数いれば、それぞれの組み合せが的中となる。
【０００６】
単勝とは、馬番号で、１着になる馬を当てる馬券である。複勝とは、馬番号で３着までに入る馬を当てる馬券である。ただし、出走馬が７頭以下のときは２着までとなる。枠連とは、１着と２着になる馬の枠番号の組み合せを当てる馬券である。枠番号とは１枠から８枠までで（７頭以下の場合はその数まで）騎手がかぶる帽子の色で決まっているものである。例えば、１枠は白、２枠はグレー、３枠は赤、４枠は青、５枠は黄、６枠は緑、７枠は橙、８枠は桃とする。なお、同じ枠番号の２頭が１着、２着になることを「ゾロ目」と言う。
【０００７】
馬連とは、１着と２着になる馬の馬番号の組み合せを当てる馬券であり、組み合せとして当たっていれば、１着と２着の着順は関係ない。ワイドとは、馬番号で選んだ２頭が、いずれも、３着までに入れば的中となる馬券である。なお、馬連とワイドは原則として出走馬が９頭以上のレースで発売される。ここで、馬番号とは、出走馬１頭ずつにつけられた番号のことである。馬につけられたゼッケンを馬番号という。
【０００８】
馬券についてだけでも、これだけの買い方があり、それぞれについて予想することは難しい。特に３連複については、複数の馬の中から３頭の馬を選ぶ必要があり、非常に予想が難しくなっている。さらに、３連単では予想した馬の着順まで決める必要があり、因みに１８頭立てレースで１，２，３着を着順で的中させる確立は４８９６分の１なので、予想を的中させることが困難となっている。
【０００９】
そこで、従来では、例えば、特許文献１に開示されたような技術によって、予想を行っていた。
【００１０】
【特許文献１】
特開平１１−２９０５５４号公報
【００１１】
【発明が解決しようとする課題】
しかし、上記従来技術に開示される競争予想装置は、家庭内等での予想を前提としており、持ち運びができるようなものではなかった。また、上述したように３連単や３連複の予想は非常に難しく、気楽に予想を行い得るものでもなかった。そこで、持ち運びができ、かつ気楽に競馬や競輪、競艇、オートレース等の競争予想に参加することを支援するものが従来から望まれていた。
【００１２】
本発明の目的は、上記の要望に応えるものであり、持ち運びができ、かつ競馬の３連複と３連単等の着順予想に気楽に利用できる着順決定装置および着順決定方法を提供することにある。
【００１３】
【課題を解決するための手段】
本発明に係る着順決定装置および着順決定方法は、上記目的を達成するために、次のように構成される。
【００１４】
本発明に係る第１の着順決定装置（請求項１に対応）は、競技参加数を指定する競技参加数指定部と、３連複または３連単の予想方式を選択する選択部と、指定された競技参加数および選択された予想方式に応じて乱数発生処理で予想数字を発生する乱数発生部と、競技参加数および予想方式に応じて乱数発生処理で発生した着順予想数字を表示する表示部とを備え、カード式携帯型装置であることを特徴とする。
【００１５】
上記構成によれば、競技参加数を指定し、３連複または３連単の予想方式を選択するだけで、乱数発生処理で予想数字が表示部に表示されるので、競争の予想に気楽に利用できる。また、カード式携帯装置であるため、持ち運びに便利である。
【００１６】
本発明に係る第１の着順決定方法（請求項２に対応）は、競技参加数を指定する競技参加数指定ステップと、３連複または３連単の予想方式を選択する選択ステップと、指定された競技参加数および選択された予想方式に応じて乱数発生処理で予想数字を発生する乱数発生ステップと、競技参加数および予想方式に応じて乱数発生処理で発生した着順予想数字を表示するステップとから成ることで特徴付けられる。
【発明の実施の形態】
以下に、本発明の好適な実施形態を添付図面に従って説明する。
【００１７】
実施形態で説明される構成、形状、大きさおよび配置関係については本発明が理解・実施できる程度に概略的に示したものにすぎない。従って本発明は、以下に説明される実施形態に限定されるものではなく、特許請求の範囲に示される技術的思想の範囲を逸脱しない限り様々な形態に変更することができる。
【００１８】
図１は、本発明の一実施形態におけるカード形状の着順決定装置１０の正面図を示す。着順決定装置１０は定期乗車券や、運転免許証等と同じくらいの、財布に入るくらいのサイズのカードであり、マイコンが内蔵されている。着順決定装置１０は表示画面１１を備える。表示画面１１はＬＣＤ（Ｌｉｑｕｉｄ  Ｃｒｙｓｔａｌ  Ｄｉｓｐｌａｙ）から構成される。着順決定装置１０は「競馬」、「競輪」、「競艇」、「オートレース」等に利用できる。
【００１９】
競技者参加数として、一般的な数である「６，８，９，１０，１１，１２，１３，１４，１５，１６，１７，１８」が選択できるように、ボタン群１２が設けられている。ボタン１３は３連複を選択するときに押すボタンであり、ボタン１４は３連単を選択するときに押すボタンである。ボタン１５は終了する場合、または乱数発生途中で停止をする場合に押すボタンである。ボタン１６は電源をオンまたはオフするときに押すボタンである。
【００２０】
図２は、着順決定装置１０の内部構成ブロック図である。着順決定装置１０は、表示制御部１１ａと単式／複式選択部２１と競技参加数指定部２２と乱数発生部２３を備えている。表示制御部１１ａは着順決定装置１０の表示画面１１に表示される数字等の表示を制御する。単式／複式選択部２１はボタン１３またはボタン１４からの信号に応じて、単式か複式かの選択を行う。競技参加数指定部２２はボタン群１２で押されたボタンに応じて競技参加数を指定する。乱数発生部２３は、単式／複式選択部２１および競技参加数指定部２２での入力に応じて乱数処理で予想数字を発生する。
【００２１】
図３は、着順決定装置１０の作動フロー図である。以下、図３のフロー図と図４〜図８の表示画面１１に表示される表示例に従って、着順決定装置１０の作動を説明する。ボタン１６が押されると、スタンバイの状態になる（ステップＳ１０１）。スタンバイの状態のときには、図４で示されるように、表示画面１１には、横線が一本表示される。スタンバイの状態において、競技参加数を指定する。競技参加数の指定は、ボタン群１２の「６，８，９，１０，１１，１２，１３，１４，１５，１６，１７，１８」のいずれかのボタンを押すことで行う（ステップＳ１０２）。図５は、競技参加数の指定において、「１１」を指定した場合に表示画面１１に表示される画面を示す図である。図６は、競技参加数の指定において、「１８」を指定した場合に表示画面１１に表示される図である。
【００２２】
競技参加数の指定後、３連単か３連複かを選択する（ステップＳ１０３）。３連単か３連複かの選択はボタン１３またはボタン１４で行う。３連単を選択すると、すなわちボタン１４を押すと、シャッフルが開始される（ステップＳ１０４）。シャッフル中に停止したい場合には、ボタン１５を押す。停止と判断されると（ステップＳ１０５）、シャッフルが止まり、結果が表示される（ステップＳ１０７）。停止されずに、すなわちボタン１５を押さずに、３０秒が経過すると（ステップＳ１０６）、シャッフルが止まり、結果が表示される（ステップＳ１０７）。図７は３連単を選択したときに表示される結果を示す図である。３連単の場合は、順位を問題とするため、図７で示すように、小さい数の順に表示されず、「７．１２．３．」と表示される。また、３連複の場合の表示と見分けやすいように、表示画面１１の数字の右下に黒丸を表示している。
【００２３】
一方、ステップＳ１０３で３連複を選択すると、すなわちボタン１３を押すと、シャッフルが開始される（ステップＳ１０８）。シャッフル中に停止したい場合には、ボタン１５を押す。停止と判断されると（ステップＳ１０９）、シャッフルが止まり、結果が表示される（ステップＳ１０７）。停止されずに、すなわちボタン１５を押さずに、３０秒が経過すると（ステップＳ１１０）、シャッフルが止まり、結果が表示される（ステップＳ１０７）。図８は３連複を選択したときに表示される結果を示す図である。３連複の場合は、着順が問題とならなず、組み合わでよいため、図８で示すように、小さい数の順に表示される。また、３連単の場合の表示と見分けやすいように、表示画面１１の数字間に横線を表示している。
【００２４】
【発明の効果】
以上の説明で明らかなように本発明によれば、次の効果を奏する。
【００２５】
本発明に係る着順決定装置は、競技参加数を指定する競技参加数指定部と、３連複または３連単の予想方式を選択する選択部と、指定された競技参加数および選択された予想方式に応じて乱数発生処理で予想数字を発生する乱数発生部と、競技参加数および予想方式に応じて乱数発生処理で発生した着順予想数字を表示する表示部とを備えたカード式携帯型装置であるので、持ち運びができ、かつ競馬の３連複と３連単等の着順予想に気楽に利用できる。
【図面の簡単な説明】
【図１】本発明の一実施形態におけるカード形状の着順決定装置の正面図を示す。
【図２】着順決定装置の内部構成ブロック図である。
【図３】着順決定装置の作動フロー図である。
【図４】表示画面に表示される画面を示す図である。
【図５】表示画面に表示される画面を示す図である。
【図６】表示画面に表示される画面を示す図である。
【図７】表示画面に表示される画面を示す図である。
【図８】表示画面に表示される画面を示す図である。
【符号の説明】
１０          着順決定装置
１１          表示画面
１１ａ        表示制御部
１２          ボタン群
２１          複式選択部
２２          競技参加数指定部
２３          乱数発生部
【図１】
2004147919.tif 000003
【図２】
2004147919.tif 000004
【図３】
2004147919.tif 000005
【図４】
2004147919.tif 000006
【図５】
2004147919.tif 000007
【図６】
2004147919.tif 000008
【図７】
2004147919.tif 000009
【図８】
2004147919.tif 000010